(57)【要約】ページベースの方法でインターネットからダウンロードされた情報を組織するインターネット情報をブラウジングするためのブラウジングインターフェースは機能的な厚さの表示で完成する。複数の挿入方法が新たにダウンロードされたインターネット情報の挿入に利用可能である。ブラウジングデータファイルはブラウジングインターフェースで情報の表示を制御する情報とパラメータを含んでいる。ストリーミングアルゴリズムはブラウジングプロセスの妨害を最少にするために予測されたユーザデータリクエストに基づいてデータを予めダウンロードする。【選択図】図１
2004507808.tif 000002
【特許請求の範囲】
【請求項１】
電子データセットの現在のサブセットの電子イメージ表示を具備し、前記現在のサブセットは遠隔メモリサイトからダウンロードされ、前記電子データセットは複数の関連するウェブサイトに記憶され、
さらに、前記電子データセット中の前記電子データセットの前記現在のサブセットの現在位置を示すように構成された電子イメージインジケータと、
前記電子イメージ表示で表示するため前記電子データセットの新しいデータサブセットを選択するように構成する選択機構と、
前記電子データセット内に前記新しいデータセットの位置をアレンジするように構成された選択オーガナイザとを具備しているユーザインターフェース。
【請求項２】
多数の予め定められた量のデータを前記電子データセット内の前記新しいデータサブセットへ転送する転送機構と、
第２の多数の前記予め定められた量のデータを前記電子データセット内の前記新しいデータサブセットへ戻す戻し機構とをさらに具備している請求項１記載のユーザインターフェース。
【請求項３】
前記電子データセット内のデータの特定のサブセットを示すように構成されているインデックス機構をさらに具備し、前記選択機構はまた前記電子イメージ表示中に表示するためにデータの前記特定のサブセットを選択することが可能にされている請求項１記載のユーザインターフェース。
【請求項４】
前記電子イメージ表示の構成を決定するように構成されている制御インターフェースをさらに具備している請求項１記載のユーザインターフェース。
【請求項５】
前記現在のサブセットと前記電子データセットの少なくとも１つに関する情報をデコードするように構成されているデコード機構をさらに具備している請求項１記載のユーザインターフェース。
【請求項６】
前記電子データセット内に複数のデータサブセットを記憶するように構成されている記憶媒体をさらに具備している請求項１記載のユーザインターフェース。
【請求項７】
複数の電子データセットを記憶するように構成されている更に別の記憶機構を具備している請求項６記載のユーザインターフェース。
【請求項８】
可能性のある新しいデータサブセットを予測し、そのダウンロードを開始するように構成されている転送予測装置をさらに具備している請求項１記載のユーザインターフェース。
【請求項９】
前記電子イメージ表示は電子ブックイメージ表示を含んでいる請求項１記載のユーザインターフェース。
【請求項１０】
前記電子イメージインジケータは前記電子データセットの前記現在のサブセットの前記現在位置を示すように構成されている厚さインジケータを具備している請求項９記載のユーザインターフェース。
【請求項１１】
前記電子イメージインジケータは前記電子イメージ表示の一部分を含んでいる請求項９記載のユーザインターフェース。
【請求項１２】
前記電子イメージ表示の前記一部分は複数のラインを含んでおり、その番号は前記現在のサブセットの前記現在の位置を示している請求項１０記載のユーザインターフェース。
【請求項１３】
前記選択機構は、前記電子イメージ表示の前記一部分内のカーソル位置を決定するように構成されている入力装置を具備している請求項１１記載のユーザインターフェース。
【請求項１４】
前記選択オーガナイザは、
前記電子イメージ表示の一部分と、
前記電子イメージ表示の前記一部分内のカーソル位置に基づいて前記電子データセット内の前記新しいデータサブセットの前記位置を決定するように構成されている第２の入力装置とを具備している請求項９記載のユーザインターフェース。
【請求項１５】
前記電子イメージ表示は、
電子ブックイメージ表示を具備し、
前記予め定められた量のデータは前記電子ブックイメージ表示の２つのページを含んでいる請求項２記載のユーザインターフェース。
【請求項１６】
前記電子イメージ表示は、
電子ブックイメージ表示を具備し、前記転送機構は、
転送される前記多数の前記予め定められた量のデータに対応して、複数のフリップされたページを表示するページフリッピング表示を含んでいる請求項２記載のユーザインターフェース。
【請求項１７】
前記選択オーガナイザは、前記ページフリッピング表示を使用して前記電子データセット内の前記新しいデータサブセットの前記位置に転送する請求項１６記載のユーザインターフェース。
【請求項１８】
前記電子イメージ表示は電子ブックイメージ表示を含み、前記インデックス機構は前記電子ブックイメージ表示の境界に少なくとも１つのブックマークイメージを含んでいる請求項３記載のユーザインターフェース。
【請求項１９】
前記インデックス機構は前記特定のデータのサブセットのサブジェクトを示す前記電子イメージ表示中に１フィールドを含んでいる請求項３記載のユーザインターフェース。
【請求項２０】
前記インデックス機構は前記特定のデータのサブセットのソースを示す前記電子イメージ表示中に１フィールドを含んでいる請求項３記載のユーザインターフェース。
【請求項２１】
前記インデックス機構は前記特定のデータのサブセット中におけるユーザの関心を示す前記電子イメージ表示中に１フィールドを含んでいる請求項３記載のユーザインターフェース。
【請求項２２】
関心を示す前記フィールドはフィンガブックマークを含んでいる請求項３記載のユーザインターフェース。
【請求項２３】
前記制御インターフェースはさらに、前記電子イメージ表示の選択された一部分中の前記電子データセットの全ての前記現在のサブセットを表示するように構成されているディスプレイ機構をさらに具備している請求項４記載のユーザインターフェース。
【請求項２４】
前記選択された部分は前記電子イメージ表示中にページを含んでいる請求項２３記載のユーザインターフェース。
【請求項２５】
前記制御インターフェースは前記電子データセットの前記現在のサブセットを削除するように構成されている削除機構をさらに具備している請求項４記載のユーザインターフェース。
【請求項２６】
前記選択オーガナイザはさらに前記新しいデータサブセットを前記電子データセットに付加し、前記電子イメージインジケータを更新するように構成されている付加機構を具備している請求項１記載のユーザインターフェース。
【請求項２７】
前記付加機構は前記電子データの前記現在のサブセットのすぐ後の新しいデータ位置に前記新しいサブセットを付加する次のページの付加機構を具備している請求項１記載のユーザインターフェース。
【請求項２８】
前記付加機構は前記電子データのダウンロードされたサブセットの後の新しいデータ位置に前記新しいデータサブセットを付加する最後のページの付加機構を具備している請求項１記載のユーザインターフェース。
【請求項２９】
前記付加機構は前記電子データの選択された新しいデータ位置に前記新しいデータサブセットを付加する選択されたページの付加機構を具備している請求項１記載のユーザインターフェース。
【請求項３０】
前記付加機構は前記電子データの次のセクション位置に前記新しいデータサブセットを付加する次のセクションの付加機構を具備している請求項１記載のユーザインターフェース。
【請求項３１】
前記付加機構は前記電子データの前記現在のサブセットのすぐ前の新しいデータ位置に前記新しいデータサブセットを付加する前のページの付加機構を具備している請求項１記載のユーザインターフェース。
【請求項３２】
前記付加機構は前記電子データのダウンロードされたサブセットの前の新しいデータ位置に前記新しいデータサブセットを付加する次のページの付加機構を具備している請求項１記載のユーザインターフェース。
【請求項３３】
前記付加機構は前記電子データの特定された新しいデータ位置に前記新しいデータサブセットを付加する特定されたページの付加機構を具備している請求項１記載のユーザインターフェース。
【請求項３４】
前記デコード機構は前記電子データセットの全長に関する情報をデコードする請求項５記載のユーザインターフェース。
【請求項３５】
前記デコード機構は前記現在のサブセットの全長に関する情報をデコードする請求項５記載のユーザインターフェース。
【請求項３６】
前記複数のデータサブセットはさらに、
前記電子データセットの内容のテーブルと、
前記複数のデータサブセットのそれぞれのサイズインジケータと、
前記複数のデータサブセットのそれぞれの順序インジケータとを具備している請求項６記載のユーザインターフェース。
【請求項３７】
前記さらに別の記憶機構は前記複数の電子データセットのリストを表示するように構成されているブックシェルフをさらに具備している請求項７記載のユーザインターフェース。
【請求項３８】
前記ブックシェルフは前記複数の電子データセット内の各電子データセットの状態を示すように構成されているブック状態フィールドをさらに含んでいる請求項３７記載のユーザインターフェース。
【請求項３９】
前記ブック状態フィールドは、前記複数の電子データセット内の特定の電子データセットがダウンロードされているか否かを示すように構成されている開／閉フィールドを含んでいる請求項３８記載のユーザインターフェース。
【請求項４０】
前記ブック状態フィールドは、前記現在のサブセットの前記電子イメージ表示が前記複数の電子データセット内の特定の電子データセットからであるか否かを示すように構成されている活性／非活性フィールドを含んでいる請求項３８記載のユーザインターフェース。
【請求項４１】
前記ブック状態フィールドは、前記複数の電子データセット内の特定の電子データセットが別の特定の電子データセットと統合されることができるか否かを示すように構成されている自立型／統合フィールドを含んでいる請求項３８記載のユーザインターフェース。
【請求項４２】
前記ブック状態フィールドは、前記複数の電子データセット内の特定の電子データセットが前記電子イメージ表示中で表示される前記現在のサブセットを有する次の電子データセットであるか否かを示すように構成されている次のブックフィールドを含んでいる請求項３８記載のユーザインターフェース。
【請求項４３】
前記転送予測装置は前記可能性のある新しいデータサブセットとして多数の予め定められた量のデータを選択する請求項８記載のユーザインターフェース。
【請求項４４】
前記予め定められた量のデータは前記現在のサブセットと同一のサイズである請求項４３記載のユーザインターフェース。
【請求項４５】
前記可能性のある新しいデータサブセットは、前記電子データセットの次のデータサブセットを含んでいる請求項８記載のユーザインターフェース。
【請求項４６】
データセットのサブセットのイメージ表示を含み、前記サブセットは遠隔メモリサイトからダウンロードされており、
さらに、前記データセット中の前記データセットの前記サブセットの現在位置を示すように構成され、前記データセットは前記遠隔メモリサイトから部分的にのみダウンロードされているイメージインジケータと、
前記イメージ表示で表示するために前記データセットの新しいサブセットを選択するように構成されている選択機構と、
前記データセット中の前記データセットの前記新しいサブセットの位置を示すように構成された選択イメージインジケータとを具備しているユーザインターフェース。
【請求項４７】
データセットのサブセットのイメージ表示を含み、前記サブセットは遠隔メモリサイトからダウンロードされており、
前記データセット中の前記データセットの前記サブセットの現在位置を示すように構成されるイメージインジケータを具備し、前記データセットは前記遠隔メモリサイトから部分的にのみダウンロードされており、
前記イメージ表示中で表示するために前記データセットの新しいサブセットを選択するように構成されている選択機構と、
可能性のある新しいデータサブセットを予測し、そのダウンロードを開始するように構成される転送予測装置とを具備しているユーザインターフェース。
【請求項４８】
データセットのサブセットを表す手段を具備し、前記サブセットは遠隔メモリサイトからダウンロードされており、
前記データセット中の前記データセットの前記サブセットの現在位置を示す手段を具備し、前記データセットは遠隔メモリサイトから部分的にのみダウンロードされており、
さらに、前記イメージ表示中で表示するために前記データセットの新しいサブセットを選択する手段を具備しているユーザインターフェース。
【請求項４９】
複数の関連するウェブサイトの全体的なデータ内容を決定し、
前記複数のウェブサイトの現在のウェブサイトからの現在のデータサブセットを表示し、
前記全体的なデータ内容内の前記現在のデータサブセットの位置を指示し、
前記全体的なデータ内容内の前記選択されたデータサブセットの位置に基づいて、選択されたデータサブセットに移動するステップを含んでいる方法。
【請求項５０】
新しいウェブサイトから前記全体的なデータ内容内の新しい位置へ新しいデータサブセットを付加するステップをさらに含んでいる請求項４９記載の方法。
【請求項５１】
前記現在のデータサブセットから前記全体的なデータ内容内の次のデータサブセットへ予め定められた量を転送するステップをさらに含んでいる請求項４９記載の方法。
【請求項５２】
複数のディスクリートに示された複数の関連するウェブサイトを表示し、
ユーザが現在の複数の前記複数のディスクリートに示された複数の関連するウェブサイトを選択することを可能にするステップをさらに含んでいる請求項４９記載の方法。
【請求項５３】
前記全体的なデータ内容内の特定のデータサブセットの特定の位置を示すステップをさらに含んでいる請求項４９記載の方法。
【請求項５４】
読取られる可能性のあるウェブサイトから読取られる可能性のあるデータサブセットを識別し、
前記読取られる可能性のあるデータサブセットを自動的にダウンロードするステップをさらに含んでいる請求項４９記載の方法。
【請求項５５】
前記複数のウェブサイトの現在のウェブサイトからの前記現在のデータサブセットを表示する前記ステップは、
物理的な文書のイメージを形成し、
前記イメージに適合するように前記現在のデータサブセットをフォーマットし、
前記物理的文書の現在の区域に前記フォーマットされた現在のデータサブセットを表示するステップを含んでいる請求項４９記載の方法。
【請求項５６】
前記物理的な文書はブックであり、前記現在の区域は前記ブックのページである請求項５５記載の方法。
【請求項５７】
前記フォーマットされた現在のデータサブセットを表示する前記ステップは、前記現在のデータサブセットを前記ページに適合するために少なくとも１つのフロントサイズとページレイアウトを変更するステップを含んでいる請求項５６記載の方法。
【請求項５８】
前記フォーマットされた現在のデータサブセットを表示する前記ステップは、
スクロールバーを前記ページに付加し、
前記フォーマットされた現在のデータサブセットを前記ページに配置するステップを含んでいる請求項５６記載の方法。
【請求項５９】
前記フォーマットされた現在のデータサブセットを表示する前記ステップは、
前記フォーマットされた現在のデータサブセットを複数のセクションに分割し、
前記分割されフォーマットされた現在のデータサブセットを前記複数のページに表示するステップを含んでいる請求項５６記載の方法。
【請求項６０】
前記現在のデータサブセットの前記位置を示す前記ステップは、前記物理的な文書の前記イメージのインジケータ区域を形成するステップを含んでいる請求項５５記載の方法。
【請求項６１】
前記現在のデータサブセットの前記位置を示す前記ステップは、先行するデータの量と、前記全体的なデータ内容内の後続するデータの量の少なくとも一方を示すために前記ブックに厚さインジケータを形成するステップを含んでいる請求項５６記載の方法。
【請求項６２】
前記選択されたデータサブセットへ移動する前記ステップは、
前記インジケータ区域中の前記選択されたデータサブセットを識別し、
前記現在のデータサブセットを前記選択されたデータサブセットと置換し、
前記置換するステップを反映させるために前記インジケータ区域を更新するステップを含んでいる請求項６０記載の方法。
【請求項６３】
前記選択されたデータサブセットへ移動する前記ステップは、
前記厚さインジケータにおいて前記選択されたデータサブセットを識別し、
前記現在のデータサブセットを前記選択されたデータサブセットと置換し、
前記置換するステップを示すため前記厚さインジケータを更新するステップを含んでいる請求項６１記載の方法。
【請求項６４】
前記厚さインジケータにおいて前記選択されたデータサブセットを識別する前記ステップは、
前記厚さインジケータの示された区域を拡大し、
前記拡大され示された区域内の前記選択されたデータサブセットを識別するステップを含んでいる請求項６３記載の方法。
【請求項６５】
新しいデータサブセットを付加する前記ステップは、前記現在のデータサブセットにすぐ後続するように前記新しいデータサブセットを配置するステップを含んでいる請求項５０記載の方法。
【請求項６６】
新しいデータサブセットを付加する前記ステップは、前記全体的なデータ内容にすぐ後続するように前記新しいデータサブセットを配置するステップを含んでいる請求項５０記載の方法。
【請求項６７】
新しいデータサブセットを付加する前記ステップは、前記全体的なデータ内容内の選択された位置に前記新しいデータサブセットを配置するステップを含んでいる請求項５０記載の方法。
【請求項６８】
新しいデータサブセットを付加する前記ステップは、現在のデータサブセットのサブセットにすぐ後続するように前記新しいデータサブセットを配置するステップを含んでいる請求項５０記載の方法。
【請求項６９】
新しいデータサブセットを付加する前記ステップは、前記現在のデータサブセットのすぐ前に前記新しいデータサブセットを配置するステップを含んでいる請求項５０記載の方法。
【請求項７０】
新しいデータサブセットを付加する前記ステップは、前記全体的なデータ内容の前に前記新しいデータサブセットを配置するステップを含んでいる請求項５０記載の方法。
【請求項７１】
予め定められた量を転送する前記ステップは、１ページを転送するステップを含み、
前記複数のウェブサイトの現在のウェブサイトからの前記現在のデータサブセットを表示する前記ステップは、
ブックのイメージを形成し、
前記イメージに適合するように前記現在のデータサブセットをフォーマットし、
前記ブックのページ中に前記フォーマットされた現在のデータサブセットを表示するステップを含んでいる請求項５１記載の方法。
【請求項７２】
複数のディスクリートに示された複数の関連するウェブサイトを表示する前記ステップは、複数のブックを有するライブラリを表示するステップを含んでいる請求項５２記載の方法。
【請求項７３】
ユーザが現在の複数のウェブサイトを選択することを可能にする前記ステップは、前記ユーザが前記ライブラリから現在のブックを選択することを可能にするステップを含んでいる請求項７２記載の方法。
【請求項７４】
特定の位置を示す前記ステップは、
前記特定の位置を示すためにブックマークを配置し、前記複数のウェブサイトの現在のウェブサイトからの前記現在のデータサブセットを表示する前記ステップは、
ブックのイメージを形成し、
前記イメージに適合するように前記現在のデータサブセットをフォーマットし、
前記ブックのページ中に前記フォーマットされた現在のデータサブセットを表示するステップを含んでいる請求項５３記載の方法。
【請求項７５】
前記特定の位置は特定のサブジェクトを有している請求項７４記載の方法。
【請求項７６】
前記特定の位置は特定のキーワードを有している請求項７４記載の方法。
【請求項７７】
前記特定の位置はユーザにより示されている請求項７４記載の方法。
【請求項７８】
読取られる可能性のあるデータサブセットを識別する前記ステップは、
現在のページ上のオンページデータサブセットを識別し、前記複数のウェブサイトの現在のウェブサイトから前記現在のデータサブセットを表示する前記ステップは、
ブックのイメージを形成し、
前記イメージに適合するように前記現在のデータサブセットをフォーマットし、
前記ブックの前記現在のページ中に前記フォーマットされた現在のデータサブセットを表示するステップを含んでいる請求項５２記載の方法。
【請求項７９】
前記選択されたデータサブセットへ移動する前記ステップは前記選択されたデータサブセットへ複数のページをフリップするステップを含んでおり、
前記複数のウェブサイトの現在のウェブサイトからの前記現在のデータサブセットを表示する前記ステップは、
ブックのイメージを形成し、
前記イメージに適合するように前記現在のデータサブセットをフォーマットし、
前記ブックのページ中に前記フォーマットされた現在のデータサブセットを表示するステップを含んでいる請求項４９記載の方法。
【請求項８０】
前記現在のデータサブセットを置換する前記ステップは、
ブック中のフリップするページのイメージを形成し、フリップするページの前記イメージの期間は前記現在のデータサブセットと前記選択されたデータサブセットとの間の分離に比例している請求項６２記載の方法。
【請求項８１】
前記現在のデータサブセットを置換する前記ステップは、
ブック中のフリップするページのイメージを形成し、フリップするページの前記イメージの期間は前記現在のデータサブセットと前記選択されたデータサブセットとの間の分離に比例している請求項６３記載の方法。
【請求項８２】
コンピュータシステムで実行するためのプログラム命令を含んでいるコンピュータの読取り可能な媒体において、
電子データセットの現在のサブセットの電子イメージを表す手段を具備し、前記現在のサブセットは遠隔メモリサイトからダウンロードされ、前記電子データセットは複数の関連するウェブサイトに記憶され、
さらに、前記電子データセット中の前記電子データセットの前記現在のサブセットの現在位置を示すように構成された電子イメージインジケータを表示する手段と、
前記電子イメージ表示中で表示するために前記電子データセットの新しいデータサブセットを選択する手段と、
前記電子データセット内に前記新しいデータサブセットの位置をアレンジする手段とを具備しているコンピュータの読取り可能な媒体。
【請求項８３】
コンピュータシステムで実行するためのプログラム命令を含んだコンピュータの読取り可能な媒体において、
複数の関連するウェブサイトの全体的なデータ内容を決定する手段と、
前記複数のウェブサイトの現在のウェブサイトから現在のデータサブセットを表示する手段とを具備し、この手段は、
前記全体的なデータ内容内の前記現在のデータサブセットの位置を指示し、
前記全体的なデータ内容内の前記選択されたデータサブセットの位置に基づいて選択されたデータサブセットへ移動するように構成されているコンピュータの読取り可能な媒体。
【発明の詳細な説明】
【０００１】
【発明の属する技術分野】
本発明は、インターネットでの情報のブラウジングに使用されるヒューマンコンピュータインターフェースに関する。本発明はインターネットからダウンロードされた情報をブックの形態に組織する。本発明はダウンロードされた情報の迅速で全体的な観察と、ダウンロードされた情報のアイテムの便利なアクセスとその検索を可能にする方法でインターネットからダウンロードされた情報を組織する。
【０００２】
【発明の参考とする文献】
本出願は１９９６年８月２６日出願の米国特許第０８／７０３，４０４号明細書および１９９７年１２月１８日出願の米国特許第０８／９９２，７９３号明細書と、米国特許第５，９０９，２０７ 号明細書と、米国特許第６，０６４，３８４ 号明細書と、現在は放棄されている１９９４年９月２５日出願の米国特許第０８／３１１，４５４号明細書に関連し、これら全てをここで参考文献とする。
【０００３】
【従来の技術】
現在、インターネットで利用可能な文書は通常“ハイパーテキスト”のフォーマットで表される。各ハイパーテキストの“ページ”は随意的な長さであり、これは１つのコンピュータモニタスクリーン内に適合されてもされなくてもよい。ハイパーテキストのページは“ハイパーリンク”によりリンクされ、ハイパーテキストの各ページには、（例えばコンピュータマウス等の入力装置により）選択およびクリックされたときハイパーテキストがリンクされているページを早期のハイパーテキストページと置換えてモニタスクリーンに現される画像またはワードの形態の１以上の“リンク”である。これは例えば２つの最もポピュラーなインターネットブラウザ、即ちマイクロソフトインターネットエクスプローラ（商標名）およびネットスケープコミュニケータ（商標名）機能による機構である。
【０００４】
１つのスクリーン内に含まれることができるよりも長い／大きいハイパーテキストページを観察するために、ページの上下（および／または左右）のスクロールをするか、または（例えばスクリーンで表示されるページのエッジに存在するスクロールバーに結合するコンピュータマウスの使用により）ページの特定点へジャンプする機構が設けられている。時には、ページの１セクション上のハイパーリンクは同一ページの別のセクションを指し、ハイパーリンクがクリックされるとき、目的地セクションへジャンプして観察できるようになる。
【０００５】
しかしながら、ヒューマンコンピュータインターフェースの研究ではハイパーテキストは多数の問題を有することがよく知られている。これらの中でも主な問題は、幾つかのページをカバーするハイパーテキストの文書の読者が頻繁にハイパーテキストページ間のナビゲーションで迷子になることである。全体的なハイパーテキスト文書の集合体であるハイパーリンクされたページの集合全体に関しては、彼／彼女は特定のページがハイパーテキストのどこに存在するか、ハイパーテキスト文書のその他のものは何であるか、文書の１つの点から文書の別の点へどのように移動したらよいかを知らないことがしばしばである。
【０００６】
インターネットサーファーについての別の大きな困惑する欠点は、“前方”および“後方”ボタンが（マイクロソフトのインターネットエクスプローラ（商標名）またはネットスケープのコミュニケータ（商標名）等の）インターネットブラウザで利用可能であるにもかかわらず、サーファーはしばしば特定のハイパーテキストページに戻る問題を有することである。その理由はハイパーテキストページは特定ではない連続的または順序付けされたマルチレベル組織と多数のリンクによりリンクされているからである。しかしながら、“前方”および“後方”ボタンは連続的な前方−後方組織を仮定する。したがってインターネットサーファーは文書中を移動するための簡単なコマンドだけを使用して複雑な組織の構造の文書を読もうとするときしばしば迷子になる。
【０００７】
情報の順次連続的な組織は伝統的なブックで見られ、ページは次から次へと順次連続的にリンクされている。ブックのサイドからページを選択し、そのページをめくる（フリップする）ことによる等の、多数のページにまたがるジャンプのための機構が利用可能であるが、ブック中の情報は依然として順序付けられた連続的な方法でレイアウトされている。また、読者／ブラウザが任意のランダムな順序で任意の時にブックの任意の場所にジャンプできるにもかかわらず、読者／ブラウザは彼／彼女がブックのどこを見ているかを良好に理解している。フリッピングとジャンプのプロセスでは、選択されたページの両側のブックの厚さとフリッピングプロセス期間に関する位置情報が捕捉される。ページのフリッピングは文書を通って移動する方向と文書中で移動している程度を知ることを可能にする。任意の所定の時間に存在する場所を知る利点は、ナビゲーション問題を全体的に皆無にしないとしても、その問題を非常に軽減する。
【０００８】
さらに、フリッピングによりブック中の全ての情報の重要な概要を非常に迅速かつ容易に得ることができる。他方で、１０００ページのハイパーテキスト文書をブラウジングするときに、その人が迷子になるだけでなく、関与される情報の重要な概要を得る問題も存在する。
【０００９】
したがって、ハイパーテキストに関する大きな欠点、即ちナビゲーション問題は伝統的なブックには存在しない。人々は自分自身が見ている場所と、他に何がそのブックに存在するか、１つの点から別の点へどのように移動するかを適切に知りながら、１０００ページのブックを拾い読み（ブラウズ）することができる。
【００１０】
【発明が解決しようとする課題】
これらの問題の結果として、インターネットで多量の情報をブラウズする人々はしばしば紙面にハイパーテキストページプリントアウトすることを好み、これらのシートを手に持ち、問題の情報を探して読むためにブックをブラウズする方法と非常に類似した方法でそれらをブラウズする。
【００１１】
読者／ブラウザとブック中の印刷物との対話は僅かで複雑なプロセスである。まず始めに、ブックの内容はページからページへ内容が連続して連続的な順序で示され、また（内容が章、セクション、サブセクション等に組織されているので）示されている内容には階層構造も存在し、それは内容の考えが幾つかの種類の概念的な階層で相互に関連されているからである。人間の知覚系は順次連続的な方法でデータを入力し、ブックが最初から最後まで連続的な方法で読まれた後、脳は含まれている内容を観察後に概念の階層を再生成する。しかしながら、非常に多くの場合には、最初から最後までブックを読まず（または含まれている内容を入力せず）、人々は（ａ）存在する内容の概要を知ることを望み、（ｂ）彼／彼女に関心のあるものを検索し、または（ｃ）（例えばあるものを動作する方法を理解するためにマニュアルを読む場合）ブックの一部分だけを読むことに興味をもつからである。これらの場合、その読者に特別な興味のある内容を見つけるためそのブックのサブジェクトをブラウズする。
【００１２】
２つの基本的なことがブラウジングプロセスで実現される。第１に、ブラウザがブックの文書の内容が何であるかを簡単に一見することである。第２に、ブラウザは問題とするアイテムがどこにあるかをほぼ知っており、それによってブラウザは（ａ）後で必要なときにそれらを探すために戻り、（ｂ）現在観察されている内容と他の内容との関係を理解（即ち含まれている階層構造を理解）できる。ブックの文書をブラウジングするとき、ページにわたりフリップするためにブラウザの多数の指の動作が必要とされ、ページが有する固有の連続順序と共に、非常に迅速に含まれている内容の特性、位置、組織をブラウザが理解することを可能にする。
【００１３】
同様に、インターネットで利用可能な多量の情報は通常ブックで見られる組織的構造、即ち情報の連続的なページ毎の組織から利点を得ることができる。これらの組織構造は次の２つの主要な利点を生じる。すなわち１．ナビゲーション問題は著しく減少され、即ちこれらはブラウザがどこにいるか、他のどんな情報が存在するか、ハイパーテキストをブラウジングする場合に情報の１セクションから次のセクションへ移動する方法を知ることを可能にし、２．含まれている情報の概要を良好に把握することが容易になる。
【００１４】
情報の連続的な組織化はハイパーテキスト文書で利用可能なハイパーリンク機構を置換するためのものではない。代わりにそれに対して補足するものである。順次連続的な方法でページをリンクさせることを除いて、また“ブック状”の表示の厚さによってそれらをランダムにアクセス可能にすることを除いて、ハイパーリンク機構は維持され、ブラウジングプロセスに価値を付加する。ハイパーリンクの利点は、ユーザが非常に迅速に１つのページから別の関連するページへ移動できることである。しかしながら、ブック状の、ページベースの順次組織化では、ハイパーリンクが選択されトリガーされるとき、ハイパーリンクにより指示される位置へ行くプロセスは物理的なプロセスをエミュレートし、ハイパーリンクの位置とハイパーリンクにより指示される位置との間の情報量に比例する厚さをスクリーンを横切って示すフリッピングアニメーションが存在する。これはユーザが自分自身がどこを見ているか、どこに向かっているかを知ることを容易にし、伝統的なハイパーリンクのプロセスと結合して、情報の検索プロセスを容易にする。
【００１５】
ハイパーテキストのリンク機構は幾つかの方法ではブックの終末部で通常見られる伝統的なインデックスの電子バージョンである。ブックのページを読んでいるときと問題とするキーワードまたはトピックを見つけるとき、終末部のインデックスへフリップしそこから関連するキーワードまたはトピックを含んでいる別のページへ移動してもよい。この２段階のプロセス、即ち最初にインデックスページへ行き、その後目的地のページに行くことはハイパーリンク機構では１ステップで実現される。しかしながら物理的な紙のブックの場合とは異なって、電子ハイパーテキストリンクプロセスでは行きたい場所へ飛越すためページを物理的にフリップする必要はない。電子的な“飛越し”は苦労がなく瞬間的である。
【００１６】
しかしながら、ハイパーテキストリンクプロセスと紙のブックの伝統的なインデックス機構との間には大きな違いが存在する。ハイパーリンクプロセスでは、典型的にリンクは人を単一の目的地に導く。他方で、紙のブックのインデックスでトピックのエントリを見るときには、多数の目的地を観察する。その後、飛越すための任意の１つの目的地を選択できる。非常に頻繁に、これらの異なる目的地は特定のトピックのカバー範囲の異なる深さと、異なる角度からのトピックのカバー範囲を含んでいる。ブック状の表示はブラウザが所望の目的地を選択するためにその厚さにおいて多数の目的地の表示を可能にする。
【００１７】
本発明のさらに別の目的は、ブラウジングブック中の情報に対してブックマークとそれに続く検索を容易にするために種々のタイプのブックマークを与えることである。
【００１８】
本発明のさらに別の目的は、ユーザがインターネットからダウンロードされた情報のブラウジングに関する多数の動作を付勢することを可能にするためにインターネットブラウジングブック上またはその周辺に制御インターフェースを与えることである。
【００１９】
本発明のさらに別の目的は、ブック状の表示を使用する要求と、大部分のインターネットウェブページの共通の“ランドスケープ”寸法（高さよりも大きい幅）を表示する能力を有する要求との両者を満たす“センターホルド”フォーマットでインターネットからダウンロードされた情報を観察する機構を提供することである。
【００２０】
本発明の別の目的は、既存の電子ブックフォーマット、即ちインターネットによる情報の送信に関連する特別なパラメータが特有のインターネットブラウジングブックで観察されるようにエンコードするためのＯＥＢフォーマットに拡張を与えることである。
【００２１】
さらに別の目的は、既存のインターネットブラウジングブックの表示と、これらのブラウジングブックの表示または情報の制御に使用されるパラメータとの“ブックシェルフ”インターフェースを与えることである。
【００２２】
本発明のさらに別の目的は、これらのデータを観察するための特有のインターネットブラウジングブックによりこれらのデータの使用を予測して、インターネットを横切ってデータを流すアルゴリズムを提供することである。これはインターネットを横切るデータ伝送の帯域幅が限定されているためにインターネットの情報のブラウジングの妨害を最少にする。
【００２３】
別の目的は、インターネットで検索される情報を表示するための現在の機構よりも優れたインターネットで検索する情報を含み表示するための特別なインターフェース、即ち“検索レポート”を提供することである。
【００２４】
【課題を解決するための手段】
それ故、本発明者はインターネットで情報をブラウジングする優れた方法が必要であることを認識している。基本的に、これはブック状で、ページ毎の連続的な組織化が厚さの表示と、厚さの表示において目的地ページを選択するための機構とで完成されている。
【００２５】
インターネットブラウジングのために情報を表示するブックに例えたことと共に、多数のブックを“ライブラリ”へ組織することをライブラリに例える。したがって、新しいインターネットブラウザでは、先にブラウズした情報を含んでいる“ブック”のライブラリを生成することができる。これらのブックは関連する情報、ブラウジングアクティビティの同一セッションでブラウズした情報またはその両者の組み合わせを含んでもよい。インターネットで情報をブラウズするためのブック状のインターフェースと共に、これはインターネットでブラウズした組織がブラウジングプロセスに過大な価値をさらに付加する。
【００２６】
ハイパーテキストの形態で与えられるインターネットで利用可能な情報をブラウズするための現在有効な方式の欠点について前述したが、本発明の１目的は、ページをめくり、厚さ表示する等による伝統的な紙のブックと非常に類似するインターネットブラウジングインターフェースを提供することであり、それによってインターネットの情報は観察、読取り、検索の目的でさらに良好に組織化される。これは“インターネットブラウジングブック”と呼ばれる。インターネットで情報を表示するこの方法および機構により、ユーザは１．自分自身がどこにいるか、２．他にどんな情報が存在するか、３．情報の１つのセクションから別のセクションに移る方法を良好に理解する。これはしばしばインターネットサーファーを迷子にさせるインターネット情報を表すハイパーテキスト方法にしばしば関連しているいわゆる“ナビゲーション問題”を解決する。
【００２７】
本発明の別の目的は、現在見ているページのハイパーリンクの選択および付勢またはコンピュータスクリーン上のＵＲＬアドレスフィールド中のＵＲＬ入力により、新しい情報がインターネットからダウンロードされるときに、新しい情報をインターネットブラウジングブックに挿入する多数の方法を提供することである。
【００２８】
【発明の実施の形態】
本発明のさらに完全な理解とその多数の付随する利点は、それが添付図面を伴って考慮される以下の詳細な説明を参照してさらに良好に理解されるとき容易に得られるであろう。図面を参照すると、ここでは類似の参照符号は幾つかの図、特にインターネットブラウザインターフェースの１実施形態を説明する図１Ａを通して同一または対応する部分を示している。基本的に、インターネットからダウンロードされた情報は開いたブックのように２ページで表示される。この段階では、複数のインターネットページは“インターネットブラウジングブック”１００ でブラウズされ集合されている。現在のページ（見えているページ）の前および後の内容量はそれぞれブックの左および右側（１０１ と１０２ ）と（左および右下エッジ（１０３ と１０４ ））の可変の厚さとして示されている。左および右側の厚さ（１０１ と１０２ ）は先に観察されている幾つかのページをブックマークするブックマーク（１０５ −１０７ ）の番号で示されている。これらの厚さには３つのタイプのブックマークが存在する。これらはページブックマーク１０５ 、注釈ブックマーク１０６ 、フィンガブックマーク１０７ である。これらを簡単に説明する。下部の厚さ（１０３ と１０４ ）はキーワードブックマーク１０８ の番号で示されている。ブラウジングブック１００ の上部のＵＲＬ（ユニバーサルリソースロケータ）フィールド１０９ はＵＲＬアドレスが入力されることを可能にする。
【００２９】
ユーザが任意の所望のページを選択することを可能にするため、ジャンプカーソル１１０ と１１１ は左および右の厚さ（１０１ と１０２ ）に設けられている。ユーザはマウスまたは他の制御装置を使用して、左または右のジャンプカーソル（それぞれ１１０ と１１１ ）を左または右の厚さ（それぞれ１０１ と１０２ ）で上下に移動することができる。ページ番号はジャンプカーソルにより選択されたページを表示するためにジャンプカーソルのタグ上に現れる。ユーザがそのページを選択するためにジャンプカーソルを使用してあるページにジャンプすることを決めたとき、彼／彼女はジャンプを付勢するためにマウスまたは他の入力装置を使用できる。
【００３０】
図１Ｂはブラウジングブック１００ のある選択されたページがジャンプされるプロセスを示している。このジャンプはブックマーク（例えばページブックマーク１０５ ）の選択によってまたはジャンプカーソル（例えばジャンプカーソル１１０ または１１１ ）により付勢される。最初に見られるページ１１３ と１１４ へジャンプしたページとの間の厚さ１１２ は物理的なブックの場合のように連続的なアニメーションのコンピュータスクリーンを横切って移動するように示される。
【００３１】
図１Ｃはブラウジングブック１００ の１ページ１２０ がフリップされるプロセスを示している。ページ１２０ は下に存在するページ１２１ を明示するためにコンピュータスクリーンを横切って曲げられ移動するように示されている。
【００３２】
図１Ｄはページのフリッピングによりブラウジングブック１００ 中を移動する速度が増加するために、１頁よりも多数の頁（ １２２〜１２５ ）が同時にコンピュータスクリーンを横切って移動しているように示されている。ユーザは移動中の全てのページのフリーズを選択することができる。
【００３３】
図１Ｅはジャンプカーソル（ １１０または １１１）の区域のページの厚さが微細な調節モードを入力するために選択される特別なジャンプカーソルモードを示している。スクリーンの解像度によって、ページの厚さ（ １０１または １０２）は例えば多数のページを表し、コンピュータスクリーンの厚さの表示は限定された数の画素だけを有するならば、画素が増加されたステップにおける厚さ（それぞれ １０１または １０２）にわたるジャンプカーソル（ １１０または １１１）の動きはユーザが幾らかのページを選択することを可能にしない。それ故、微細な調節モードが必要である。１実施形態はジャンプカーソル（例えばジャンプカーソル１１１ ）の右クリックであり、ジャンプカーソル１１１ 周辺の厚さ区域は“拡張”され、長方形１５０ として表される。長方形１５０ で表される厚さは全体の厚さ１０２ により表されるページのサブセットを表し、そのページの周囲はジャンプカーソル１１１ により指向されている。ジャンプカーソル１１１ が長方形１５０ 内の厚さを上下に移動するとき、本来の厚さ１０２ よりも微細なレベルにページをアクセスすることができる。さらに厚さ１０２ の“拡大”も可能であり、これは厚さ１０２ のページの微細なアクセスにつながる。
【００３４】
図２Ａ−２Ｋはブラウジングブック１００ が生成される例示的なプロセスを示している。図２Ａはブラウジングセッションが着手されるときのインターネットブラウジングプロセスの開始を示している。ブック２００ は生成され表示される。このとき、ブックはフロントカバー２０１ とバックカバー２０２ のみからなる。
【００３５】
図２ＢはＵＲＬ ２０３（ユニバーサルリソースロケータ−“ウェブページ”のアドレス）がディスプレイの上部のフィールド２０４ に入力され、付勢されるときに生じる状態を示している。ブラウジングブック２００ のフロントカバー２０１ はフリップされ開き、ブック２００ の新しいページ２０５ を現れている。新しいページ２０５ では、ＵＲＬ２０３ のウェブページ２０６ が表示される。左側のページ（２１０ ）は空である。
【００３６】
複数のハイパーリンク（ ２０７−２０９ ）はウェブページ２０６ で利用可能である。図２Ｃはウェブページ２０６ （図２Ｂ）上のハイパーリンク２０７ が選択され付勢されるときに生じる状態を示している。ページ２０５ はブラウジングブック２００ に付加される２つのさらに新しいページ（ ２１１−２１２ ）を明らかにするためにフリップする。ページ２１１ 上はハイパーリンク２０７ （図２Ｂ）により指定されるウェブページ２１３ の内容である。インターネットブラウジングブック２００ の左側は左側に付加されたページ数が限定されているために比較的小さい厚さを示している。より多数の内容がインターネットブラウジングブック２００ に持ち込まれると両側の厚さの増加をもたらす。
【００３７】
ウェブ内容を表示する例示的なモードが示されている。図２Ｄはこれらの２つの例のモード（２１４ と２１５ ）を示している。モード１（２１４ ）では、ウェブ内容２１６ が１ページに適合されてもされなくても、ウェブ内容２１６ は１つのページ（ページ２１７ ）に表示される。内容が１ページのサイズを超える場合、垂直のスクロールバー２１９ と水平のスクロールバー２２０ は利用可能にされ、ウェブ内容２１６ の種々の部分を観察するためにそれぞれ上下または左右にスクロールするのに使用されることができる。モード２（２１５ ）では、単一のページに適合されることができないウェブ内容２１６ は２以上のページ（２１７ 、２１８ 、２２１ 、２２２ ）にわたって広げられる。内容はページの前面と後面に表示されてもよい。
【００３８】
図２Ｅは左側のページ２１１ のハイパーリンク２２３ が選択され、付勢される例示的な状態を示している。ハイパーリンク２２３ が指向する内容２２６ は２以上のページ（２１２ 、２２４ 、２２５ ）にわたって開かれて示されている［図２Ｄで示されているモード２（２１５ ）］。内容はこれらのページの前面および後面に表示されてもよい。
【００３９】
この点で、左側のページ２１１ の別のハイパーリンク２２７ が選択され付勢されることを想定する。ハイパーリンク２２７ が示している内容２２８ が表示されることができる便利な場所が４つ存在する。図２Ｆ−Ｊはハイパーリンク２２７ により指し示される新しく受信された内容を表示するための７つの例示的なモード（ ２２９−２３５ ）を示している。図２Ｆのモード１、即ち次のページモード（２２９ ）では、新しく受信された内容２２８ はハイパーリンク２２７ が存在するページ２１１ のすぐ後、この場合、ページ２１２ に表示される。（ハイパーリンク２２７ が存在する内容２１３ が１よりも多数のページにわたって広がるならば、新しく受信された内容２２８ は内容２１３ を含んだ最後のページのすぐ後に表示される。）このように、既存の内容２２６ は新しく受信された内容２２８ の道を開けるために１ページ転送して移動されなければならない。
【００４０】
代わりに、新しく受信された内容２２８ が２以上のページにわたって広げられるならば、既存の内容２２６ は新しく受信された内容２２８ を適合するために２以上のページを転送して移動する。
【００４１】
図２Ｇのモード２、即ち最後のページモード（２３０ ）では、新しく受信された内容２２８ が、ハイパーリンク２２７ を含む内容２１３ の後の唯一の内容であるならば、既存の内容２２６ を含む最後のページのすぐ後に表示される。
【００４２】
代わりに、新しく受信された内容２２８ はハイパーリンク２２７ を含む内容２１３ の後に存在する既存の内容の最後のページのすぐ後に表示されることができる。
【００４３】
モード３（２３１ 、図２Ｈ）では、多量の内容がハイパーリンク２２７ を含む内容２１３ の前および後の両者で前に受信され、これらの前に受信された内容が例えばブックマーク ２４２−２４６ でブックマークされているならば、ユーザは最初に任意のブックマーク（例えばブックマーク２４４ ）を選択することができ、その後ハイパーリンク２２７ を選択し、付勢する。新しく受信された内容２２８ はその後選択されたブックマーク２４４ が位置される場所に挿入される。
【００４４】
図２Ｉのモード４（２３２ ）では、新しく受信された内容２２８ は内容２２６ の次のセットのすぐ後に挿入され、これは内容２２６ の後に他の内容が存在してもハイパーリンク２２７ を含む内容２１３ のすぐ後の内容セットである。内容２２６ の次のセットは例えば同一のウェブサイトに属する内容の集合により規定されてもよい。
【００４５】
モード５［２３３ 、図２Ｊの現在より前のページモード］では、新しく生成された内容２２８ はハイパーリンク２２７ を含む現在の内容２１３ のすぐ前に挿入される。図２Ｊのモード６［２３４ 、先のセットより前のモード］では、新しく受信された内容２２８ はハイパーリンク２２７ を含む現在の内容２１３ のすぐ前の内容のすぐ前に挿入される。図２Ｊのモード７［２３５ 、第１のページのモード］では、新しく受信された内容２２８ はインターネットブラウジングブック２００ の開始に丁度挿入される。
【００４６】
他のモードの挿入も存在する。新しく受信された内容２２８ は（ページ番号、ページ名またはブックの厚さ上のページを指し示す“ジャンプカーソル”を使用して）１．任意の特定されたページ、２．（例えば内容の名称により）任意の特定された内容の前または後、３．現在のページ２１１ の前または後の任意の番号のページ、または４．内容の特定されたセットの任意の番号の前または後に挿入されることもできる。
【００４７】
新しく受信された内容２２８ はまた図２Ｋで示されているように（例えばブックマーク２６２ の選択により（モード３、２３１ ）または前の段落で説明した方法を使用してページを特定することにより）幾つかの前述の挿入モードを使用して新しいブラウジングブック２５１ または分離した既存のブラウジングブック２６１ へ挿入されることもできる。前述のモードの１つにより新しい内容を挿入するプロセスでは、典型的にブラウジングブックは（このプロセスが“新しい内容へジャンプしない”選択によりユーザにより特別に禁止されなければ、即ち新しい内容が存在するページへ直ちにジャンプせずに新しい内容を表示するために新しい内容の挿入が行われると）新しい内容が表示されるページに自動的に直ちにフリップする。新しく挿入された内容を示すために現在コンピュータスクリーンで観察されているページとは異なるページへジャンプする必要があるならば、そのページへのフリッピングを示し、コンピュータスクリーンを横切って介在する厚さ１１２ の移動で完了するアニメーションは、図１Ｂ示されているように示されている。これは新しい内容が、これらの新しい内容を指し示すハイパーリンクが存在するブラウジングブックと同じブラウジングブックに挿入されるか、新しい内容が異なるブラウジングブックに挿入されるか否かのケースである。換言すると、新しい内容が異なるブラウジングブックに挿入されるならば、およびそのブラウジングブックで現在観察されていないページへのジャンプがこれらの新しく挿入された内容を示すために必要とされるならば、介在する厚さ１１２ のフリッピングはそのブラウジングブックで示されている。
【００４８】
先の説明はハイパーリンクの選択および付勢によって新しい内容がブラウジングブックで直ちに挿入され表示されるときのアニメーションを示している。ページにジャンプするプロセスにおける介在する厚さ１１２ の同じアニメーションもブラウジングブックの新しい内容の挿入および迅速な表示が例えばＵＲＬアドレスフィールド２０４ にＵＲＬアドレスを入力することにより付勢されるときに示される。
【００４９】
通常、ブラウジングブックで現在観察されていないページへのジャンプが任意の方法で付勢されるときにはいつでも、ジャンプの目的が幾つかの最近挿入された新しい内容または幾つかの他の既存の内容を表示するためであっても、図１Ｂで示されているように介在する厚さ１１２ がコンピュータスクリーンを横切って移動することを示すアニメーションが示される。
【００５０】
インターネットブラウジングブックは多数のページに関連する動作を有するので、図３Ａのブラウジングブック３００ 上に示されているように各ページに関連するツールバー（例えば左側のページ３１０ に関連するツールバー３１１ と、右側のページ３２０ に関連するツールバー３２１ ）を表示することがさらに便利である。１実施形態では、このツールバーは関与するページの縁部に置かれている。ツールバー（３１１ と３２１ ）上には、ブックマーク操作用のボタン（３１２ と３２２ ）と、注釈操作用のボタン（３１３ と３２３ ）と、ページ適合操作（３１４ と３２４ ）用のボタン（３１４ と３２４ ）と、センターホルドとしての表示用ボタン（３１５ と３２５ ）と、フローティングページ生成用ボタン（３１６ と３２６ ）と、インターネット転送停止用ボタン（３１７ と３２７ ）と、ページ削除用ボタン（３１８ と３２８ ）と、ＵＲＬフィールド（３１６ と３２６ ）とが存在する。
【００５１】
左側のツールバー３１１ の“ブックマーク”ボタン３１２ をクリックすると、左側のページ３１０ 上にページブックマーク３４０ が生成される。ページブックマーク３４０ はテキスト、色、番号、または他の種類の情報にしたがってラベルを付けられる。左側のツールバー３１１ の“注釈”ボタンをクリックすると、左側のページ３１０ 上の注釈ボックス３３２ および関連する注釈ブックマーク３４３ が生成される。ユーザは任意のテキスト、音響またはビデオ注釈を注釈ボックス３３２ へ入力でき、対応する注釈ブックマーク３４３ はしたがってラベルを付けられることができる。フィンガブックマーク３４５ はブラウジング装置と共に使用されるときに生成され、ブラウジング装置（発明の名称“Ｂｒｏｗｓｉｎｇ Ｓｙｓｔｅｍ ａｎｄ Ｍｅｔｈｏｄ ｆｏｒ Ｃｏｍｐｕｔｅｒ Ｉｎｆｏｒｍａｔｉｏｎ ”の米国特許第５，９０９，２０７ 号明細書）はユーザがこのページをブックマークするためにこのページに一時的な“フィンガ”を位置することを示す信号を送信し、それによって後にブラウジング装置の制御装置を使用して、このページに迅速に戻ることができる。
【００５２】
類似のタイプのブックマーク（ページブックマーク（３４０ −３４２ および３５０ −３５２ ）、注釈ブックマーク（３４３ 、３４４ 、３５３ 、３５４ ）、フィンガブックマーク（３４５ 、３４６ 、３５５ 、３５６ ））は共に近接してグループ化され、および、または色、テキストまたはその他の機構により弁別され、それによってこれらは容易に弁別されることができる。
【００５３】
キーワードブックマーク３０５ 、３０６ 、３０７ 、３０８ はキーワード、例えば右側のページ３２０ 上のワード“ｍｏｕｓｅ ”３３４ 上で１つクリックするときに生成される。キーワードブックマーク３０５ −３０８ によりマークされるページはそれにリンクされている“ｍｏｕｓｅ ”３３４ に関連する情報を含んだページである。キーワードブックマーク３０５ −３０８ 上のテキスト、色またはその他のマーキングはこれらの対応してマークされたページに存在する情報の性質（例えば情報が関与するキーワードの定義、キーワードの詳細な説明、幾つかの他の関連する概念等であるか）を示すために使用されることができる。
【００５４】
ユーザは任意のブックマーク（３４０ −３４６ 、３５０ −３５６ 、３０５ −３０８ ）を選択し、任意の所望のページへ迅速にジャンプするようにこれらを付勢できる。ページが選択されてそこへジャンプされるとき、現在のページと目的のページとの間の厚さが表示され、物理的なブックの所望のページにジャンプする場合のようにコンピュータスクリーンを横切って移動するように示されている。
【００５５】
（例えばマウスカーソルおよびマウスボタンのクリックによる）左側のページ３１０ 上の“ページへの適合”ボタン３１４ の選択および付勢は左側のページ、例えば左側のページの境界を超えて延在するＨＴＭＬファイルを例えば左側のページの境界内に適合するイメージファイルへ変換し、それを左側のページに適合させる。右側のページのボタン３２４ も同様に動作する。
【００５６】
左側のページ３１０ 上の“センターホルドとしての表示”用ボタン３１５ の選択および付勢はセンターホルドとしての表示モード３９５ で示されているように、左側のページ内容３３０ を両ページ３１０ と３２０ を占有するように変換する。
【００５７】
左側のページ３１６ の“フローティングページ作成”用ボタンはブラウジングブックから分離されたウィンドウ３６０ を生成し、左側のページ３３０ の内容をウィンドウ３６０ 中に表示する。右側のページ３２０ のボタン３２６ も同様に動作する。
【００５８】
左側のページ３１７ の“インターネット転送停止”用ボタンの選択と付勢はそのページへのインターネット情報の転送を終了する。右側のページのボタン３２７ も同様の方法で動作する。
【００５９】
左側のページ３１８ の“ページ削除”用ボタンの選択と付勢は、インターネットブラウジングブックから左側のページ全体の内容を削除する。他のページの残りの内容は削除動作により残されたブランクスペース／ページを埋めるようにシフトされる。右側のページのボタン３２８ も同様の方法で動作する。
【００６０】
ＵＲＬ（ユニバーサルリソースロケータ）が左側のページ３１０ のＵＲＬフィールド３１９ に入力されて付勢されるとき、ＵＲＬが指向する内容はインターネットブラウジングブック中に持ち込まれ、前述の任意の１つの方法、即ちモード１−モード７（ ２２９−２３５ ）にしたがって１つの位置に配置される。右側のページ３２０ のボタン３２９ も類似の方法で動作する。
【００６１】
汎用であるが現在可視の右側または左側のページに特有ではないインターネットブラウジングブックで実行する動作に対して、ボタンが与えられる。１実施形態は図３Ａで示されているようにブック上方のモードツールバー３７０ にこれらのボタンを配置する。モードボタン３７１ −３７７ はユーザが新しく生成された内容を表示する７以上のモード（２２９ −２３５ ）の１つを選択することを可能にする。別の実施形態のモードツールバー３９０ はブラウジングブック３００ の中心に位置されることができる。
【００６２】
“センターホルドとしての表示”用ボタン３８０ はそれが選択され付勢されるとき、図３Ｂで示されているように、丁度マイクロソフトインターネットエクスプローラ（商標名）およびネットスケープコミュニケータ（商標名）のような現在利用可能なブラウザの場合と同様に内容を左および右側のページの両者を横切って表示させる。これはページ中のより多くの内容が可視であることを可能にする。しかしながら、ユーザが他のページに移動するとき、古い内容が“フラッシュ”で新しいページの内容によって単に置換される現在利用可能なインターネットブラウザの場合とは異なって、図３Ｂのブラウジングブックは図３Ｂで示されているように、他のページ上に新しい内容を表示するようにページがフリップされるとき、現在可視のセンターホルドページの折り畳み動作を表示する。
【００６３】
インターネット上の現在のほとんどの情報はＨＴＭＬ（ハイパーテキストマークアップ言語）ファイルの形態でコード化される。マイクロソフトインターネットエクスプローラ（商標名）またはネットスケープコミュニケータ（商標名）のような現在のインターネットブラウザはこのインターネット情報をそれらの主要な情報ディスプレイウィンドウ上にＨＴＭＬファイルの形態で表示する。ＨＴＭＬファイルはテキストおよびその他のマルチメディア情報を含むことができ、任意の長さおよび幅であることができる。コンピュータスクリーンまたはインターネットブラウザのウィンドウの高さおよび幅よりも長いか広いＨＴＭＬファイルが観察されるとき、（上下の移動のための）側面のスクロールバーおよび／またはブラウザウィンドウの（左右の移動用の）ボタンは通常、ファイルを上下または左右にスクロールするのに利用可能である。
【００６４】
ハイパーテキストファイルはハイパーテキストファイルのページに表示されるハイパーリンクによりリンクされる。これらのリンクの１つが選択され付勢されるとき、それが指向するハイパーテキストファイルは早期のハイパーテキストファイルが存在する同一のウィンドウまたは新しく生成されるインターネットブラウザウィンドウで観察されるようになる。
【００６５】
現在の優れたブック状のインターネットブラウジングシステムでは、この種類のハイパーテキストディスプレイ機構はさらに一般的なページベースの情報ディスプレイ機構の特別なケースになる。我々のシステムでは、インターネットからの情報がハイパーテキストページの形態であるならば、ブラウジングブック１００ のページの１つに表示されることができる（図１）。スクロールバー（２１９ と２２０ ）は図２Ｄで示されているようにハイパーテキストの種々の部分を観察するために利用可能にされることができる。しかしながら、新しいハイパーテキストページが可視ハイパーリンクの選択および付勢またはインターネットアドレスフィールド中のＵＲＬの入力により付勢されるとき、それが早期のウィンドウの置換または新しく生成されたウィンドウで同一のウィンドウに現れるマイクロソフトインターネットエクスプローラ（商標名）またはネットスケープコミュニケータ（商標名）のような現在のブラウザの場合と異なって、我々のインターネットブラウジングブック１００ （図１）は非常に複雑な構造であり、図２Ｆで示し前述したように新しく生成された情報の７以上のディスプレイモードを与える。
【００６６】
多量のインターネット情報が既にハイパーテキストの形態で生成されているから、ユーザに対してやさしいインターネットブラウジングシステムはハイパーテキストベースの情報とページベースの情報との両者の表示の切換えおよび統合のためのシームレスな機構を提供しなければならない。現在、多数の主要なコンピュータ産業のリーダーにより行われるオープン電子ブックフォーマット（ＯＥＢフォーマット）が存在する。ブック状のインターネットブラウザと共に使用されることができるページベースの情報コード化システムの１実施形態はＯＥＢ−ＤＦフォーマットであり、現在のＯＥＢフォーマットの適合を以下説明する。（“ＤＦ”は、Ｅ−Ｂｏｏｋ　Ｓｙｓｔｅｍｓ社により使用される商標の頭文字であるデジタルフリップ（商標名）技術の“デジタルフリップ（商標名）”の頭字語である。）
基本的なＯＥＢフォーマットはブック状のページベースの組織を有する。換言すると、“ブック”は基本的に多数の共に綴じられたページにより構成される。ＯＥＢ−ＤＦは図４で示されているように多数のパラメータで情報を含むようにこのページベースの記述を拡張する。ＯＥＢ−ＤＦブック記述４００ は基本的なＯＥＢブック記述部分４０１ および拡張部を含んでいる。これらの拡張部の１つはパラメータ自立型／統合４２１ である。このパラメータはＯＥＢ−ＤＦブックを観察するどのようなブラウザまたはソフトウェアにも、関与するブックが同一のディスプレイウィンドウの他のブック／内容と共に表示されることを可能にするか否かについて示す。自立型／統合４２１ のパラメータが自立型に設定されるならば、関与するブックはそれ自体により観察されることができるだけであり、その他のブック／資料は同一のディスプレイウィンドウでその前または後に来てもよく、さらに厚いブックと共に綴じられる。自立型／統合４２１ のパラメータが統合に設定されるならば、ブックは例えばさらに厚い／大きいブックの一部として同一のディスプレイの他のブック／資料と統合され、例えば前述の挿入方法（２２９ −２３５ ）の１つを使用して本来のブック中に挿入される。
【００６７】
別の例のパラメータは米国議会図書館番号ＩＳＢＮ４２２ である。さらに別の例のパラメータはブック分類４２３ である。別の例のパラメータは観察のみのフラグ４２４ であり、これは設定されるとブックの観察者が彼／彼女のコンピュータのハードディスクにコピーを記憶することを可能にしない。ページマージンパラメータ４２５ はブック中のページのマージンを特定できる。ブック背景パラメータ４２６ はそのブックに対する背景の色／パターンを特定できる。フリッピング速度パラメータ４２７ は観察されるブックにの好ましいフリッピング速度を特定できる。バインダタイプパラメータ４２８ はそのブックに対するバインダのタイプを特定できる。カバーパラメータ４２９ はそのブックのカバーパターンを特定できる。バックカバーパラメータ４３０ はそのブックのバックカバーパターンを特定できる。音響活性パラメータ４３１ はブックに関連する音響が演奏されるべきであるか否かを特定できる。キーワードパラメータ４３２ はブックの著者がそのブック中にカバーされているトピックに関する一連のキーワードを特定することを可能にできる。
【００６８】
別のパラメータは自動演奏パラメータ４３３ である。このパラメータはブックがダウンロードされ観察／読取られるとき、ブック全体が“演奏”されるまで（または演奏が停止すべきである仕様が位置されているそのブック中のある点に到達するまで）、第１のページへのフリップを示し、ビデオまたはオーディオナレーションを演奏し、幾らかの特定された時間量だけ停止し、次のページにフリップする等によりそれ自体を自動的に“演奏”する。
【００６９】
ブック記述４００ に関連するのは一連のページ記述４１０ である。ページ記述４１０ はまた基本的なＯＥＢページ記述部４１１ と幾つかの拡張部を含むことができる。これらの拡張の１つはセンターホルドパラメータ４６１ である。これはページが丁度１頁である代わりに２ページにまたがって広げられるセンターホルドとして表示されるか否かを特定する。センターホルド表示の１例は図３（３９５ ）で示されている。開かれたブック３９５ は２つのページにまたがったセンターホルド３３０ を表示する。別のパラメータは最適の幅４６２ と最適な高さ４６３ パラメータであり、これはそのページの高さと幅の寸法を観察する最も最適な理想的値を特定できる。別のパラメータである分類４６４ は“自動車”、“名声”等のブックの内容が属するカテゴリを特定できる。
【００７０】
別のパラメータであるページマージン４６５ は１ページの最適なページマージンを特定できる。パラメータのページ背景４６６ はそのページの背景の色／パターンを特定できる。音響活性パラメータ４６７ はページが観察されるときそのページに関連する音響が演奏されるべきであるか否かを特定できる。インデックスパラメータ４６８ はこのパージがブックのインデックスに現れるべきであるか否かを特定できる。好ましい側のパラメータ４６９ はページが常に左または右ページに現れるべきであるか、またはその外見に対して好みがないか否かを特定できる。キーワードパラメータ４７０ はページの内容に関連されるように特定されたキーワードのストリングを含むことができる。
【００７１】
ハイパーテキストベースおよびページベース（例えばＯＥＢ（ＤＦ）ベース）の両情報を提供するインターネットブラウジングシステムの１実施形態が図５に示されている。
【００７２】
このシステムはＨＴＭＬとＯＥＢ−ＤＦ内容の両者を表示できる前述のブラウジングブックの形態のインターネットブラウザから構成されている。図５Ａはブラウジングブック（５０１ と５０２ ）の２つの例を示しており、一方は現在表示されている幾つかのＨＴＭＬ内容（５０１ ）であり、他方は現在表示されている幾つかのＯＥＢ−ＤＦ内容（５０２ ）である。ＨＴＭＬまたはＯＥＢ−ＤＦページ上に現れることができる２つのタイプのハイパーリンクが存在する。一方のタイプはＨＴＭＬハイパーリンクであり、その例５０３ はＨＴＭＬブラウジングブック５０１ の左側のページに示され、他方のタイプはＯＥＢ−ＤＦハイパーリンクであり、その例５０４ もＨＴＭＬブラウジングブック５０１ の左側のページに示されている。
【００７３】
図５Ｂで示されているように、複数のブラウジングブック５１０ −５１３ の背骨（スパイン）のイメージ／名称５２０ を含んでいるブックシェルフ５０５ も表示されることができる。ブックシェルフ５０５ 上の各ブック（５１０ −５１３ ）に関連するのは、ブラウジングブックが開かれているか閉じられているか（開／閉）（５２１ ）、活性または非活性（活性／非活性）（５２２ ）、ブラウジングブックが自立型であるかまたは他の情報に統合されることができるか（自立型／統合）（５２３ ）、またはブラウジングブックが新しく付勢された内容が現れる“次のブック”であるか否か（次のブック）（５２４ ）を示す複数のブック状態フィールド（５２１ −５２４ ）である。例えば２つの現在開かれたブラウジングブック５０１ と５０２ はそれぞれスパインイメージ５１０ と５１３ としてブックシェルフ５０５ に現れる。それらのそれぞれのブック状態フィールド５３１ と５４１ はこれらが開かれていることを示している。ブック状態フィールド５４２ は“ブック５０２ ”が現在活性であることを示している。これらのフィールドの機能はブラウジングプロセスの機能についての以下の説明でさらに明白になるであろう。
【００７４】
最初に、ＨＴＭＬファイルを含んでいるブラウジングブックだけを考慮すると、“ブック５０１ ”は開いており活性である。ブラウジングブック５０１ の開／閉フィールド５３１ は開を示す。活性／非活性フィールド５３２ は活性を示す。自立型フィールド５３３ は非自立型を示し、次のブックフィールドはデフォルトにより次のブックを示す。
【００７５】
ハイパーリンク５０３ のようなＨＴＭＬタイプのハイパーリンクが選択され付勢されるとき、ブラウジングブック５０１ は現在、新しい内容を表示するために次のブック状であるので、ターゲットの内容は例えば前述の７つの方法（図２Ｆ−Ｊのモード１−７）の１つにしたがって、ブラウジングブック５０１ に置かれるようにＨＴＭＬブラウジングブック５０１ の幾つかのページに現れる。
【００７６】
ハイパーリンク５０４ のようなＯＥＢ（ＤＦ）タイプのリンクが選択され付勢されることを考える。このリンクはＯＥＢＤＦタイプのブック５０２ を指向し、そのスパインのイメージ５１３ はブックシェルフ５０５ に現れる。自立型／統合ブック状態フィールド５４３ はこのブックが自立型ブックとして表示されることを示している。ＯＥＢ−ＤＦフォーマットであるターゲット内容は図５で示されているように別のウィンドウ５０２ として現れる。開いたＯＥＢ−ＤＦブック５０２ のリンク５５０ が選択され付勢されることを考えると、ＯＥＢ−ＤＦブック５０２ はその関連する自立型／統合パラメータ５４３ により特定されるように自立型ブックとして表示されるので、リンク５５０ が指向する内容はＯＥＢ−ＤＦブック５０２ を含むウィンドウ以外のどこかに現れる。リンク５５０ が指向する内容は、現在の次のブック、この場合開かれたブラウジングブック５０１ であるウィンドウ／ブラウジングブックに現れる。
【００７７】
現在の次のブックは、ブックシェルフ５０５ 中の適切なフィールドをクリックすることによりユーザにより選択可能であり、任意の時にただ１つの次のブックが特定されることができる。自立型であるブックは次のブックにはならない。さらに、ブックはそれが次のブックである前には開でなければならない。ブックシェルフ５０５ の次のブックフィールドに次のブック選択を含むものがないならば、新しいブックはハイパーリンクの付勢により生成される新しい内容を含むように生成される。この新しく開かれたブックが自立型でないならば、これが次のブックのすぐ前にその他のブックがないので、これはデフォルトにより自動的に次のブックになる。自立型ではない現在活性なブックもまたデフォルトにより次のブックになる。
【００７８】
インターネットによる情報送信速度は（電話線等の）いわゆるインターネット転送媒体の帯域幅により通常限定され、また、しばしば大きなイメージ／ビデオ／オーディオファイルが送信に関与されるので、アドレスに対する重要な問題は、ユーザが現在可視の内容をコンピュータスクリーンで観察しながら次に観察しようとするものを予測する方法である。このように、情報は予め転送されることができ、それによってユーザが次に観察する内容を選択するときに内容が既にコンピュータに転送されており、したがってユーザは情報が“ダウンロード”されるのに相当の時間量を待機せずに直ちにそれらを観察できる。インターネットからの情報のハイパーテキスト表示では、ユーザは任意のハイパーリンクを潜在的に選択し、これらのハイパーリンクされたページは特別な順序ではなく、代わりにネットワークで複雑な方法でリンクされるので、ユーザがハイパーリンクの選択および付勢によって観察するために彼／彼女のコンピュータに持ち込もうとする情報の次のページが何であるかを予測することは困難である。
【００７９】
しかしながら、インターネット上で情報を組織化する本発明のページベースの方法は次に所望される情報の予測に関する利点を与える。情報は順次連続する方法で組織化されるので、ユーザがコンピュータスクリーン上の現在可視の内容を観察している間に、システムは幾つかの後続するページを予めダウンロードすることができる。ユーザが現在のページのすぐ次のページを観察するように選択する可能性が最も高い。特に情報は既に連続的にページベースの方法で組織化されるので、ユーザは多数のページにわたってスキップすることを選択するのは時々である。それ故、大多数は、この事前に転送するインターネット情報の方法を使用するシステムは多くの妨害なしにまたは（ダウンロードが完了するのを）あまり待たずにユーザが非常に快適な読取り／ブラウジングを行うことを可能にする。
【００８０】
図６はインターネットからダウンロードされたページベースの情報を観察することに関する予測／ストリーミングアルゴリズムの操作を示している。図６は（別のページからのジャンプ後またはブックが最初に付勢されるときに）ページが最初に入力され、ユーザが観察するためにコンピュータスクリーン上に表示されるときに生じる状態を示している。パージバッファＣ（６０４ ）は近い将来にユーザにより観察される可能性のあるページを記憶するために利用可能である。
【００８１】
ステップ６０１ では、ページＮは（例えば別のページからのジャンプ後）ユーザが観察するためにコンピュータスクリーン上に表示される。ステップ６０２ では、ページＮのある範囲（後続するページＮ＋１，Ｎ＋２，…，Ｎ＋Ｌと、先行するページＮ−１，Ｎ−２，…，Ｎ−Ｍ）を有する全てのページは、これらがまだバッファＣに存在しないならばバッファＣへ予めダウンロードされる。通常、ユーザは後方よりも前方にフリップする可能性が多いのでＬはＭよりも大きい。
【００８２】
ステップ６０３ では、バッファＣ（６０４ ）内に適合されることができない全ての最も新しくダウンロードされたページが除去される。
【００８３】
バッファＣ（６０４ ）の各ページはそれがどの程度最近、ダウンロードされバッファＣに記憶されたかを示す最近値を与えられる。事前のダウンロードの新しいセッションが起こるときにはいつでも、全ての先のページの最近値（事前のダウンロードの丁度前にバッファＣ（６０４ ）に現在存在するこれらのページ）は１だけ増加される。その後、丁度予めダウンロードされ、範囲Ｎ＋１，Ｎ＋２，…，Ｎ＋Ｌ、Ｎ−１，Ｎ−２，…，Ｎ−Ｍ内の既にバッファＣ（６０４ ）に存在するこれらのページでは、これらは最近値１を与えられる。
【００８４】
ユーザが順次連続して前方または後方にフリップすると、さらに前方またはさらに後方のページはそれにしたがって予めダウンロードされる。範囲Ｎ＋１，Ｎ＋２，…，Ｎ＋Ｌ、Ｎ−１，Ｎ−２，…，Ｎ−Ｍの外側のページは１だけ増加された最近値を有し、この範囲内のページは１に設定された最近値を有する。
【００８５】
このアルゴリズムは、１．ユーザにより選択される可能性が最も高い予めダウンロードされたページは、ユーザがブラウズするように検索されてスクリーン上で表示されるためにシステム（ハードディスク）に存在し、２．ページバッファＣ（６０４ ）はユーザがブラウズするためにスクリーンで表示する目的で最も効率的に使用されることを確実にする。
【００８６】
インターネット情報のブック形態の表示はインターネット情報の検索および組織に別の利点を与える。現在、インターネット情報を検索するために市場で利用可能な多数のいわゆる検索エンジンが存在する。典型的に、検索キーワードのユーザタイプおよびキーワードと関係を有する複数のウェブサイト／インターネット文書は検索エンジンにより位置付けられ、ユーザのコンピュータに与えられ、これらのウェブサイト／インターネット文書に対するハイパーリンクの集合としてユーザのインターネットブラウザにダウンロードされ表示される。しかしながら、ハイパーリンクの数はしばしば数千に達する可能性があり、観察および読取りするが非常に困難である。本発明のインターネットブラウジングブックは、検索を容易にするためにこの情報をさらに組織化するための優れた方法を与える。検索が実行されているＯＥＢ−ＤＦフォーマット文書に存在するキーワードに基づいて、本発明の特殊化された検索エンジンはさらに検索プロセスにより発見されたウェブサイト／文書を分類し、図７で示されているようにこれらをセクションに分割できる。検索がキーワード“ツリー”７０２ で実行されることを想定する。ＯＥＢ−ＤＦフォーマットインターネット文書（または詳細な分類情報を含んでいる他の文書）を含んだサイトを検索する本発明で特殊化された検索エンジンにより生成される検索レポート７０１ はさらに分類手段としてブックマーク ７０５−７０８ を使用して“北米ツリー”、“オークツリー”下で発見される文書を分類する。
【００８７】
本発明の特別な実施形態を示し説明したが、多数の変更および変形が当業者により行われ、添付の特許請求の範囲は本発明の技術的範囲内に入る全てのこれらの変更および変形をカバーすることを意図されることが認識されるであろう。
【００８８】
明らかに、本発明の多くの変更および変形は前述の考察を考慮して可能である。それ故、添付の特許請求の範囲の技術的範囲内で、本発明は特別にここで説明した以外にも実行されてもよいことが理解されよう。
【図面の簡単な説明】
【図１Ａ】
インターネットからダウンロードされた情報を表示するために使用されるコンピュータスクリーン上に表示される例示的なインターネットブラウジングブックの上方から見た斜視図。
【図１Ｂ】
ブックにおいて前の多数のページをジャンプするプロセス中のコンピュータスクリーン上に表示される例示的なインターネットブラウジングブックの上方斜視図。
【図１Ｃ】
次のページへフリップするプロセスにおけるコンピュータスクリーン上に表示される例示的なインターネットブラウジングブックの上方斜視図。
【図１Ｄ】
多数のページを同時にフリップするプロセス中のコンピュータスクリーン上にで表示される例示的なインターネットブラウジングブックの上方斜視図。
【図１Ｅ】
ページ選択中にさらに微細な解像度を可能にするように厚さが拡大された場合にページを選択するプロセス中のコンピュータスクリーン上に表示される例示的なインターネットブラウジングブックの上方斜視図。
【図２Ａ】
情報がインターネットからダウンロードされる前に、ブラウジングセッションの開始のすぐ前の例示的なインターネットブラウジングブックの上方斜視図。
【図２Ｂ】
ＵＲＬのエントリに応答してインターネットから幾つかの新しい情報をダウンロードするプロセスにおける例示的なインターネットブラウジングブックの一連の上方斜視図。
【図２Ｃ】
例示的なインターネットブラウジングブックのページのハイパーリンクの選択と付勢に応答してインターネットから幾つかの新しい情報をダウンロードするプロセスにおける例示的なインターネットブラウジングブックの一連の上方斜視図。
【図２Ｄ】
インターネットブラウジングブックで情報を表示する例示的な異なるモードの上方斜視図。
【図２Ｅ】
２以上のページを占めるインターネットからダウンロードされた情報を表示する例示的なモードを示した例示的なインターネットブラウジングブックの上方斜視図。
【図２Ｆ】
インターネットから新たにダウンロードされた情報を挿入する第１の例示的なモードを示した例示的なインターネットブラウジングブックの上方斜視図。
【図２Ｇ】
インターネットから新たにダウンロードされた情報を挿入する第２の例示的なモードを示した例示的なインターネットブラウジングブックの上方斜視図。
【図２Ｈ】
インターネットから新たにダウンロードされた情報を挿入する第３の例示的なモードを示した例示的なインターネットブラウジングブックの上方斜視図。
【図２Ｉ】
インターネットから新たにダウンロードされた情報を挿入する第４の例示的なモードを示した例示的なインターネットブラウジングブックの上方斜視図。
【図２Ｊ】
インターネットから新たにダウンロードされた情報を挿入する第５の例示的なモードを示した例示的なインターネットブラウジングブックの上方斜視図。
【図２Ｋ】
インターネットから新たにダウンロードされた情報を挿入する他の例示的なモードを示した例示的なインターネットブラウジングブックの上方斜視図。
【図３Ａ】
情報表示の“センターホルド”モードを含むブラウジングブックを使用してインターネットでの情報のブラウジングに関連する複数の操作を行うための例示的なインターネットブラウジングブック上で、またはその周辺で利用可能な種々の例示的な制御を示している例示的なインターネットブラウジングブックの上方斜視図。
【図３Ｂ】
現在のページの情報表示の“センターホルド”モードにより次のページへのフリッピングを示す例示的なインターネットブラウジングブックの上方斜視図。
【図４】
既存のＯＥＢフォーマットへの拡張であるブックパラメータの表示およびコード化のためのインターネットブラウジングブックと共に使用される例示的なフォーマットを示した説明図。
【図５Ａ】
ハイパーテキストベースおよびページベースの情報の両者を与える例示的なインターネットブラウジングシステムの上方斜視図。
【図５Ｂ】
例示的なブラウジングシステムによりブラウジングブックの情報の表示を制御するパラメータを追跡し続ける１例のライブラリシェルフの概略図。
【図６】
本発明にしたがってインターネットブラウジングブックを使用してインターネット上の情報を人がブラウジングすることにより情報を流す／予めダウンロードするために使用される好ましい例示的なアルゴリズムの詳細を示したフローチャート。
【図７】
インターネットでの情報の検索により生成される例示的なブックフォーマットで表示される例示的なサーチレポートの上方斜視図。
【図１Ａ】
2004507808.tif 000003
【図１Ｂ】
2004507808.tif 000004
【図１Ｃ】
2004507808.tif 000005
【図１Ｄ】
2004507808.tif 000006
【図１Ｅ】
2004507808.tif 000007
【図２Ａ】
2004507808.tif 000008
【図２Ｂ】
2004507808.tif 000009
【図２Ｃ】
2004507808.tif 000010
【図２Ｄ】
2004507808.tif 000011
【図２Ｅ】
2004507808.tif 000012
【図２Ｆ】
2004507808.tif 000013
【図２Ｇ】
2004507808.tif 000014
【図２Ｈ】
2004507808.tif 000015
【図２Ｉ】
2004507808.tif 000016
【図２Ｊ】
2004507808.tif 000017
【図２Ｋ】
2004507808.tif 000018
【図３Ａ】
2004507808.tif 000019
【図３Ｂ】
2004507808.tif 000020
【図４】
2004507808.tif 000021
【図５Ａ】
2004507808.tif 000022
【図５Ｂ】
2004507808.tif 000023
【図６】
2004507808.tif 000024
【図７】
2004507808.tif 000025
【国際公開パンフレット】
2004507808.tif 000026
2004507808.tif 000027
2004507808.tif 000028
2004507808.tif 000029
2004507808.tif 000030
2004507808.tif 000031
2004507808.tif 000032
2004507808.tif 000033
2004507808.tif 000034
2004507808.tif 000035
2004507808.tif 000036
2004507808.tif 000037
2004507808.tif 000038
2004507808.tif 000039
2004507808.tif 000040
2004507808.tif 000041
2004507808.tif 000042
2004507808.tif 000043
2004507808.tif 000044
2004507808.tif 000045
2004507808.tif 000046
2004507808.tif 000047
2004507808.tif 000048
2004507808.tif 000049
2004507808.tif 000050
2004507808.tif 000051
2004507808.tif 000052
2004507808.tif 000053
2004507808.tif 000054
2004507808.tif 000055
2004507808.tif 000056
2004507808.tif 000057
2004507808.tif 000058
2004507808.tif 000059
2004507808.tif 000060
2004507808.tif 000061
2004507808.tif 000062
2004507808.tif 000063
2004507808.tif 000064
2004507808.tif 000065
2004507808.tif 000066
2004507808.tif 000067
2004507808.tif 000068
2004507808.tif 000069
2004507808.tif 000070
2004507808.tif 000071
2004507808.tif 000072
2004507808.tif 000073
2004507808.tif 000074
2004507808.tif 000075
2004507808.tif 000076
2004507808.tif 000077
2004507808.tif 000078
2004507808.tif 000079
2004507808.tif 000080
2004507808.tif 000081
2004507808.tif 000082
2004507808.tif 000083
2004507808.tif 000084
2004507808.tif 000085
2004507808.tif 000086
2004507808.tif 000087
2004507808.tif 000088
2004507808.tif 000089
2004507808.tif 000090
2004507808.tif 000091
2004507808.tif 000092
2004507808.tif 000093
2004507808.tif 000094
2004507808.tif 000095
2004507808.tif 000096
【国際公開パンフレット（コレクトバージョン）】
2004507808.tif 000097
2004507808.tif 000098
【国際公開パンフレット（コレクトバージョン）】
2004507808.tif 000099
2004507808.tif 000100
【国際調査報告】
2004507808.tif 000101
2004507808.tif 000102